(57)【要約】【課題】  整体での人体部位への押圧による施術者の疲労負担を軽減し、より効率化できる整体用押圧具を提供する。【解決手段】  １対の剛性ある棒状部材１、１’と、同棒状部材のそれぞれの一方の端部１ａ、１’ａ’を前記の棒状部材１、１’がほぼ同一平面内で回動するように連結する剛性の連結部材２と、前記の各棒状部材の途中位置でかつ相互に対向する位置に、前記の棒状部材１、１’を閉じる方向に回動させた場合に両先端部が相互に近接する方向に動くように設けた突出部材３、３’とからなることを特徴とする整体用押圧具。【選択図】図１
2010115460.tif 000002
【特許請求の範囲】
【請求項１】
１対の剛性ある棒状部材１、１’と、同棒状部材のそれぞれの一方の端部１ａ、１’ａ’を前記の棒状部材１、１’がほぼ同一平面内で回動するように連結する剛性の連結部材２と、前記の各棒状部材の途中位置でかつ相互に対向する位置に、前記の棒状部材１、１’を閉じる方向に回動させた場合に両先端部が相互に近接する方向に動くように設けた突出部材３、３’とからなることを特徴とする整体用押圧具。
【請求項２】
棒状部材１、１’の反連結部材２側端部１ｃ、１’ｃ’と連結し、かつ屈曲可能な第２の連結部材４を設けてなる請求項１記載の整体用押圧具。
【請求項３】
連結部材４の途中位置でかつ、棒状部材の端部１ｃ、１’ｃ’からほぼ同じ長さ位置部分４ｂ、４ｂ’を非伸縮性の第３の連結部材５で連結する請求項２記載の整体用押圧具
【発明の詳細な説明】
【技術分野】
【０００１】  本発明は、整体用の押圧具に関する。
【背景技術】
【０００２】  人体の局部、通常筋肉部に圧力を加えて、血流を促すなどを通じて、患部の治癒、痛みの軽減などを図る器具として、例えば、特開平６−２７７２６２号が知られている。【０００３】  この器具（特開平６−２７７２６２号）は、開閉可能な対の把持柄の一方に押接体を設け、他の一方には当て部材を押圧体に対峙させて設け、身体部位をはさみ、当て部材で受けながら押接体で押つけて、押圧の作用を効かせる。テコの作用を効かせながら作用させることができ、それなりの効果が期待できる。しかし、作業者の疲労を少なくするためには、よりいっそう効果的な押圧が可能な器具の提供が求められる。
【特許文献１】特開平６−２７７２６２号
【発明の開示】
【発明が解決しようとする課題】
【０００４】  本発明の目的は、よりいっそう効果的な押圧が可能な器具を提供することである。本発明者は、種々検討しようやく本発明に到達した。
【課題を解決するための手段】
【０００５】  請求項１の発明は、１対の剛性ある棒状部材１、１’と、同棒状部材のそれぞれの一方の端部１ａ、１’ａ’を前記の棒状部材１、１’がほぼ同一平面内で回動するように連結する剛性の連結部材２と、前記の各棒状部材の途中位置でかつ相互に対向する位置に、前記の棒状部材１、１’を閉じる方向に回動させた場合に両先端部が相互に近接する方向に動くように設けた突出部材３、３’とからなることを特徴とする整体用押圧具である。【０００６】  ここで「棒状部材」とは、例えば、棒で代表されるように、縦長に伸びた部材をいう。概して縦長に伸びている限り、多少曲がっていてもかまわない。図１には、一点鎖線で、棒状部材の先の方を外方（開く方向）に若干曲げた例を示している。このようにすると、施術者が棒状部材の端部１ｃ、１’ｃ’を両の手などにより手前に引っ張る形で体部に押圧する場合に、先方を曲げていない場合に比べ、押圧力を一段と高めるのに好適である。又、棒状部材の断面は、代表的には円形状であるが、筒状、薄板状など、その形に限定はされない。前記の棒状部材は、剛性を有する。「剛性を有する」とは、曲げの力を加えても簡単には曲がらない性質を有することをいう。そのような材料としては、木材、金属、柔軟性のないプラスチックなどが挙げられる。棒状部材は、１対のもので図では１、１’から成る。【０００７】  この１対の棒状部材１、１’は、それぞれの一方の端部１ａ、１’ａ’を前記の棒状部材１、１’がほぼ点同一平面内で回動するように剛性の連結部材２に連結する。ここで、「剛性の」の意味は、前記の「剛性ある」と同じである。連結の手段は、公知の任意のもの・方法を用いることができる。代表的には、棒状部材の端部と連結部材とに共通の回動軸となるピン（軸）を挿通する方法、連結部材と棒状部材の端部とに蝶番（チョウツガイ）を取り付ける方法、などが挙げられる。同棒状部材は、それぞれの一方の端部１ａ、１’ａ’を前記の棒状部材１、１’がほぼ同一平面内で回動するように剛性の連結部材２に連結する。このような回動は、前記の連結のための手段、例えば、挿入軸、蝶番の取り付けの際にそうなるように調節すればいい。【０００８】  本発明では、前記の各棒状部材の途中位置でかつ相互に対応する位置に、前記の棒状部材１、１’を閉じる方向に回動させた場合に両先端部が相互に近接する方向に動くように突出部材３、３’を設けている。この両先端部は、図１では、３ａ、３’ａ’で示している。
前記の各棒状部材１、１’の途中位置１ｂ、１’ｂ’とは、棒状部材の連結部材２側の端部１ａ、１’ａ’と、その反対側の端部１ｃ、１’ｃ’との各途中位置をいう。この途中位置１ｂ、１’ｂ’に、突出部材３、３’を設けている。【０００９】  これら、途中位置１ｂ、１’ｂ’は、通常は、各棒状部材でそのほぼ中間位置か、それより連結部材２寄りである。突出部材は、材質は問わないが、通常、木製、プラスチック製などがあげられる。先端部は、通常は、丸みを持たせ、体部（人体の部位）に押圧するとき、体を傷つけることがないようにすることが望ましい。体部（の部位）によっては、棒状部材の表面部を皮でおおうなど、適宜工夫することなども任意である。【００１０】  突出部材は、棒状部材に対しては、動かないようにそれに固接することも、また、使うとき（施術時）に動かないようにするが、取り付け位置をスライドするなどして、棒状部材上での相対的な位置を変化させうるようにするなども任意である。
同様に、棒状部材も、全体として二重の筒状としてその出し入れが可能とすることなどにより、長さを伸縮可能に調節するのも任意である。【００１１】  次に請求項２の発明は、棒状部材１、１’の反連結部材２側端部１ｃ、１’ｃ’と連結し、かつ屈曲可能な第２の連結部材４を設けてなる請求項１の整体用押圧具である。
連結部材４は、棒状部材１、１’の端部１ｃ、１’ｃ’（連結部材２から遠い方の端部）と連結している。この「連結」は、使用時に連結していれば足りるので、使用時以外は、連結を外していてもかまわない。この場合に、取り付け、取り外しを容易にするためには、例えば、第２の連結部材４の両端部にフックを設け、他方棒状部材の両端部１ｃ、１’ｃ’にフック受け（例えば、リングなど）を設けるなども好ましい。【００１２】  第２の連結部材４は、屈曲可能である。「屈曲可能」とは、折れ曲げが可能であることを言う。その材料としては、ひも、針金（たわみ易いもの）、皮などが挙げられるが、硬い材質の板状物を、蝶番（チョウツガイ）でつなぎ全体として折れ曲り可能としたものなどもその一例となる。連結部材４の長さは、限定的ではないが、図２に示すように、対の棒状部材との間に施術者が入って、連結部材４の中央部（４ｂ）を施術者の腰にあてがい、身体の上半身（背）を後ろに傾かせて、上半身の力を、連結部材４の両の端（４ａ、４ａ’）から棒状部材１、１’に伝えるなどして用いる場合は、例えば、１１０ｃｍ〜１５０ｃｍなどとする。【００１３】  請求項３記載の発明は、第２の連結部材４の途中位置でかつ、棒状部材の端部１ｃ、１’ｃ’からほぼ同じ長さ位置の部分４ｂ、４ｂ’を非伸縮性の第３の連結部材５で連結する請求項２記載の整体用押圧具である。
非伸縮性の連結部材５とは、連結するための部材で、伸び縮みしない性質のものをいう。非伸縮性であれば、ひもでも、金属線（ワイアー）でもかまわない。また、棒状のものであってもかまわない。
この連結部材５は、第２の連結部材４の途中位置でかつ、棒状部材の端部１ｃ、１’ｃ’からほぼ同じ長さ位置の部分４ｂ、４ｂ’で連結する。連結は、使用するときにそういう（連結）状態にあれば足り、その方法としては、例えば、前記の部分４ｂ、４ｂ’位置にリングを取り付けておき、第３の連結部材の両端にフックを設けて、そのフックで、使用時にリングに引っ掛けるようにするなどが挙げられる。【００１４】  第３の連結部材５の長さは、施術者が、第２の連結部材４と１対の棒状部材との間に入って、連結部材４の中央部４ｂを腰の少し上あたりに当てて後方に引っ張り、棒状部材に力を作用させる場合に、図３での一点鎖線で示すように連結部材４をピンと張った時の、部分４ｂ、４ｂ’間の長さより一段と短めにすればいい。
このようにした場合には、ゆるみのない状態に連結部材４を張った状態で、連結部材５をつけていないときの、３点（３部分）１ａ、１ｃ、４ｂのなす角度（「連結部材５取り付け前角度」）、に比べ、連結部材５をつけているときの、３点（３部分）１ａ、１ｃ、４ｂのなす角度（「連結部材５取り付け前角度」）は、より直角に近い角度となる。
【発明の効果】
【００１５】  請求項１の発明では、施術者が、両の手で棒状部材１、１‘の端部１ａ、１’ａ’を把持し、やや開いて、人体の部位（例えば、ももなど）に突出部材３、３‘の先端をあてがい、上から押し付けると、テコの原理で、力の負担が少なくできる上に、左右バランスよく一度に２箇所の押圧処理ができ、冒頭紹介の道具などの使用に比べ、半分の時間で指圧作業ができ、押圧をする施術者の負担を著しく軽減できる。【００１６】  請求項２の発明によれば、特に大きな力が求められる（被施術者の）おしりの部位（臀部、つまり大臀筋対応部位）に、突出部材３、３’（の先端部３ａ、３’ａ’）を当てて押圧を施そうという場合、第２の連結部材４と、１対の棒状部材１、１‘との間に、作業者（施術者）が入り込み、施術者が座った状態で、その背（腰の少し上の部分）に連結部材４の中央部４ｂをあて、被施術者を前にして、施術者がその背を後方に傾けるなどにより、縦横半身全体の力を使うことができ、両の腕のみを使う場合に比べ軽い動きで格段と強い押圧力を体部にかけることができる。【００１７】  請求項３の発明によれば、前記の施術者が、第２の連結部材の中に入って施術するような場合に、第２の連結部材をピンと張った状態での前記「連結部材５取り付け前角度」に比べ、第３の連結部材５を取り付けることで、前記の「連結部材５取り付け後角度」を鈍角から、より直角に近づけることができる。その結果、施術者の背にかけた連結部材４を（施術者が）後方に引くときの力の方向を、図３での（矢印）Ａ０からＡ１の方向、すなわち、連結棒の回転トルクが一段と高まる方向へ切り替える形となり、第２の連結部材のみの場合に比べ、押圧力をさらに一段と高めることができる。
【発明を実施するための最良の形態】
【００１８】
【００１９】  以下に本発明の実施例を記載する。ただし、実施例の一部にすぎないので、本発明は、これらの記載になんら制限されるものではなく、本発明は、さらにいろんな態様での実施が可能である。以下、図で以って実施例を説明する。
【実施例１】
【００２０】  その実施例を図１（平面図）に示す。１対の棒状部材１、１’は、木の棒（断面は丸い）で構成して、それぞれの端部１ａ、１’ａ’に金属製の平たい連結部材２を連結している。連結部の細部構造は、図１では明示していないが、その一例として、図４（図１の背面図、および平面図）に示す。すなわち、棒状部材の各先端部１ａ、１’ａ’にスリット１ｓ、１’ｓ’を設け、そのスリットに差し込んだ状態にして、予め棒状部材が回動するように、軸（ピン）１ｐ、１’ｐ’をそれぞれ、端部１ａと連結部材２、端部１’ａ’と連結部材２とを貫通するように挿通してある。この結果、棒状部材１、１’は回動させると、ほぼ同一平面内で回動する。棒状部材１、１’のそれぞれの中央部分位置（図では１ｂ、１’ｂ’）に同じく木製突出部材３、３’を接着剤その他により固設する形で（動かないようにして）設けている。
なお、押圧具は左右対称なので、付番１’ｓ’、１’ｐ’に対応する部分の構造は図示していない。【００２１】  突出部材１、１’の各先端３ａ、３’ａ’は丸みを持たせて、押圧時に、体部に傷をつけにくいようにしている。図１は、この押圧具を人体の部位に適用して施術している際の例でもある。一点鎖線Ｐ１で示すのが、施術部位（「もも」とか、「腰」など）の断面の輪郭で、対を成す棒状部材１、１’の各々に突出部材３、３’があり、一度の施術で、体部の２つの箇所を同時に押圧処理できる。
なお、実際に押圧具を製する際は、対の施術部位の幅（間隔）を考慮して、棒状部材の長さを決め、複数個製作するのが好ましい。
【実施例２】
【００２２】  図２は、請求項２の発明の実施例を示し、屈曲性のあるヒモでできた第２の連結部材４の両端部にフック４ｆ、４ｆ’を設け、そのフック４ｆ、４ｆ’をそれぞれ、棒状部材の端部１ｃ、１’ｃ’に付けた、リング１ｒ、１’ｒ’に引っ掛ける形で、連結している。なお、一点鎖線で示すＰ１は、ここでは被施術者の腰部の断面の輪郭で、またＰ２は、施術者の胴部の輪郭を示すものである。連結部材４の中央の部分（部位４ｂのあたり。施術者の胴の背中側の部分）は、図面には明示されていないが、そこにかかる力が分散するように、幅広の帯状部としている。施術者が椅子に腰掛けた状態で、背を後ろ（図２上では下方）にずらすと、棒状部材の端部１ｃ、１’ｃ’に引っ張り力がかかり、これには身体全体（上半身）の力を加えることができるので、腕だけで力をかける場合に比べ格段と強い押圧力を、突出部材の先端に加えることができる。
【実施例３】
【００２３】  図３は、請求項３に対応する発明の実施例を示し、ヒモでできた第２の連結部材４の途中位置４ｂ、４ｂ’（この場合、比較的に、棒状部材の端部１ｃ、１’ｃ’に近い）にそれぞれリング４ｒ、４ｒ’を取り付け、その各リング４ｒ、４ｒ’に、ワイアー製の第３の連結部材５の両端に設けたフック５ｆ、５ｆ’を引っ掛けて連結している（図４参照）。この場合は、第２の連結部材４の棒状部材端末側１ｃ、１’ｃ’でのかかる力の方向を、棒状部材の長さ方向に対して、より直角に近い形に変更し、すなわち、図では、矢印Ａ０からＡ１の方向に（また、矢印Ａ’０からＡ’１の方向に）変更し、ひいては、対の棒状部材１、１’を閉じる方向への回転トルクを一段と高め、突出部材の押圧力を格段と高めることができる。
【図面の簡単な説明】
【００２４】
【図１】  図は、本発名実施例１の整体用押圧具の平面図である。
【図２】  図は、本発明実施例２の整体用押圧具の平面図である。
【図３】  図は、本発明実施例３の整体用押圧具の平面図である。
【図４】  図で、（イ）、（ロ）は、本発明実施例１〜３の整体用押圧具の棒状部材１、１’と連結部材２との連結の構造の一例を示す、背面図および平面図であり、また（ハ）は、本発明実施例２、３での棒状部材と連結部材４との簡易連結構造、および、連結部材４と連結部材５との簡易連結構造の一例を示す見取り図である。いずれも、左右対称なので、押圧具の左半分のみを示す。
【符号の説明】
【００２５】１、１’  ・・・棒状部材
１ａ、１’ａ’  ・・・棒状部材１、１’の、連結部材２側端部
１ｂ、１’ｂ’  ・・・棒状部材１、１’の途中位置
１ｃ、１’ｃ’  ・・・棒状部材１、１’の反連結部材２側端部
１ｓ、１’ｓ’  ・・・棒状部材の端部１ａ、１’ａ’に設けたスリット
（なお、１’ａ’は図には示していない。）
１ｐ、１’ｐ’  ・・・棒状部材の端部１ａ、１’ａ’および連結部材に挿通させたピン                      （回動軸）（なお、１’ｐ’は図には示していない。）
１ｒ、１’ｒ’  ・・・棒状部材の端部１ｃ、１’ｃ’に設けたリング
２  ・・・・・・連結部材
３、３’  ・・・・突出部材
３ａ、３’ａ’  ・・・突出部材３、３’の各先端部
４  ・・・・・・第２の連結部材
４ｆ、４ｆ’  ・・・第２の連結部材の両端部に設けたフック
４ｂ  ・・・・・・第２の連結部材の中央にその一部として取り付けた帯状部材
４ｒ、４ｒ’  ・・・第２の連結部材の途中位置４ｂ、４ｂ’に設けたリング
５  ・・・・・・第３の連結部材
５ｆ、５ｆ’  ・・・第３の連結部材の両端部に設けたフック
【図１】
2010115460.tif 000003
【図２】
2010115460.tif 000004
【図３】
2010115460.tif 000005
【図４】
2010115460.tif 000006